(57)【要約】【課題】本発明は、被写体照明用の照明光を発光する放電ランプの発光時には被写体確認用の光を発光するランプを消灯させ、放電ランプの発光時以外にはランプを自動点灯させるランプの消灯・点灯制御回路を提供する。【解決手段】本発明は、被写体照明用の照明光を発光する放電ランプ４０と、被写体確認用の光を発光するランプ３０とを個別に消灯又は点灯させるランプの消灯・点灯制御御回路１であって、放電ランプ４０及びランプ３０の点灯駆動用の電力を供給する電源回路部２と、放電ランプ４０に対する発光開始信号を出力して放電ランプ４０を発光させるとともに、ランプ３０に対して放電ランプ４０の発光時間を超える時間幅を持ったランプ消灯制御信号を出力する放電ランプ回路部３と、ランプ消灯制御信号を基にその時間幅のみランプ３０を消灯させ、その時間幅以外はランプ３０を点灯させるランプ回路部４と、を有するものである。【選択図】図１
2008203335.tif 000002
【特許請求の範囲】
【請求項１】
被写体照明用の照明光を発光する放電ランプと、被写体確認用の光を発光するランプとを個別に消灯又は点灯させるランプの消灯・点灯制御回路であって、
前記放電ランプに対する発光開始信号を出力して放電ランプを発光させるとともに、前記ランプに対して前記放電ランプの発光時間を超える時間幅を持ったランプ消灯制御信号を出力する放電ランプ回路部と、
前記ランプ消灯制御信号を基にその時間幅のみ前記ランプを消灯させ、その時間幅以外は前記ランプを点灯させるランプ回路部と、
を有することを特徴とするランプの消灯・点灯制御回路。
【請求項２】
被写体照明用の照明光を発光するトリガー電極を有する放電ランプと、被写体確認用の光を発光する発光ダイオードからなるランプとを個別に消灯又は点灯させるランプの消灯・点灯制御御回路であって、
前記放電ランプ及びランプの点灯駆動用の電力を供給する電源回路部と、
前記放電ランプに対する発光開始信号を出力するとともに前記放電ランプの発光時間を超える時間幅を持ったランプ消灯制御信号を出力するランプ制御信号出力部と、電源回路部により充電され前記放電ランプに充電電圧を供給する主コンデンサと、前記発光開始信号を基にトリガー回路を駆動し前記放電ランプのトリガー電極をトリガーさせ前記主コンデンサの充電電圧によって放電ランプを発光させる発光制御部と、を具備する放電ランプ回路部と、
前記ランプ消灯制御信号を基にその時間幅のみ前記ランプを消灯させるランプ消灯信号を出力するランプ消灯／点灯回路と、手動操作により前記ランプを点灯させるスイッチ信号を出力するランプ点灯スイッチと、ランプ消灯信号とスイッチ信号との論理和をとる論理和回路と、この論理和回路の出力信号に応じて前記ランプを消灯又は点灯させるランプ駆動回路と、を具備し、前記時間幅のみ前記ランプを消灯させ、その時間幅以外は前記ランプを点灯させるとともに、前記スイッチ信号に応じて前記ランプを点灯させるランプ回路部と、
を有することを特徴とするランプの消灯・点灯制御回路。
【請求項３】
ストロボユニットに組み込まれるとともにカメラのシャッタ操作に連動するように構成され、被写体照明用の照明光を発光するトリガー電極を有する放電ランプと、被写体確認用の光を発光する発光ダイオードからなるランプとを個別に消灯又は点灯させるランプの消灯・点灯制御回路であって、
前記放電ランプ及びランプ点灯駆動用の電力を供給する電源回路部と、
カメラのシャッタ操作に応じて前記放電ランプに対する発光開始信号を出力するとともに前記放電ランプの発光時間を超える時間幅を持ったランプ消灯制御信号を出力するランプ制御信号出力部と、電源回路部により充電され前記放電ランプに充電電圧を供給する主コンデンサと、前記発光開始信号を基にトリガー回路を駆動し前記放電ランプのトリガー電極をトリガーさせ前記主コンデンサの充電電圧によって放電ランプを発光させる発光制御部と、を具備する放電ランプ回路部と、
前記ランプ消灯制御信号を基にその時間幅のみ前記ランプを消灯させるランプ消灯信号を出力するランプ消灯／点灯回路と、手動操作により前記ランプを点灯させるスイッチ信号を出力するランプ点灯スイッチと、ランプ消灯信号とスイッチ信号との論理和をとる論理和回路と、この論理和回路の出力信号に応じて前記ランプを消灯又は点灯させるランプ駆動回路と、を具備し、前記時間幅のみ前記ランプを消灯させ、その時間幅以外は前記ランプを点灯させるとともに、前記スイッチ信号に応じて前記ランプを点灯させるランプ回路部と、
を有することを特徴とするランプの消灯・点灯制御回路。
【発明の詳細な説明】
【技術分野】
【０００１】
本発明は、ランプの消灯・点灯制御回路に関し、詳しくは、水中カメラのストロボユニットに適用して好適なランプの消灯・点灯制御回路に関するものである。
【背景技術】
【０００２】
例えば、水中カメラを使用するダイバーは、防水カメラハウジングに水中カメラを収納し、ターゲットランプを具備するストロボユニットを支持アーム等を介して水中カメラに取り付け、ターゲットランプの点灯により被写体の確認を行ない、さらに、ストロボ発光により水中での光量不足を補完しつつ水中撮影を行う。
【０００３】
すなわち、水中撮影では、支持アームの先のストロボユニットの位置と向きを調節し、発光照射の方向が被写体の方向になっているか、水中カメラのフォーカスが適切かどうか等の設定・確認が必須であり、このためにターゲットランプの点灯による被写体に対する撮影条件の設定・確認を行なっている。
【０００４】
ところで、従来においては、ターゲットランプを一旦点灯して被写体に対する発光方向の設定・確認を行い、次に水中カメラのシャッタ操作によりターゲットランプをその光による反射光が写り込むことを防止すべく消灯させるとともに、ストロボユニットを発光させつつ被写体の撮影を行なった後は、ターゲットランプを自動点灯させることなく消灯したままとすることが殆どである。
【０００５】
このため、被写体の撮影直後にターゲットランプの光を照射して被写体を再確認することが困難であるとともに、次回の撮影時には再びターゲットランプを点灯させる操作から始めることが必要となり、極めて煩雑であった。
【０００６】
特許文献１には、水中カメラに対して光ファイバを介して水中カメラライトを接続し、水中カメラ側から光信号を水中カメラライトに送信して水中カメラライトの点灯、消灯制御を行なうように構成した水中撮影システムが開示されている。この特許文献１の場合、光ファイバを利用するものであるため、光信号と電気信号との変換のための回路要素が必要になる等、回路構成が複雑である。
【特許文献１】特開２００１−０３３８５２号公報
【発明の開示】
【発明が解決しようとする課題】
【０００７】
本発明が解決しようとする問題点は、ターゲットランプを具備するストロボユニット等に組み込まれるとともに、被写体照明用の照明光を発光する放電ランプと、被写体確認用の光を発光するランプとを消灯又は点灯させるランプの消灯・点灯制御回路であって、放電ランプの発光時にはランプを消灯させ、放電ランプの発光時以外にはランプを自動点灯させるような簡略構成のランプの消灯・点灯制御回路が存在しない点である。
【課題を解決するための手段】
【０００８】
本発明は、被写体照明用の照明光を発光する放電ランプと、被写体確認用の光を発光するランプとを個別に消灯又は点灯させるランプの消灯・点灯制御回路であって、前記放電ランプに対する発光開始信号を出力して放電ランプを発光させるとともに、前記ランプに対して前記放電ランプの発光時間を超える時間幅を持ったランプ消灯制御信号を出力する放電ランプ回路部と、前記ランプ消灯制御信号を基にその時間幅のみ前記ランプを消灯させ、その時間幅以外は前記ランプを点灯させるランプ回路部と、を有することを最も主要な特徴とする。
【発明の効果】
【０００９】
請求項１記載の発明によれば、放電ランプの発光時にはランプを消灯させ、放電ランプの発光時以外にはランプを自動点灯させることができ、放電ランプ発光による被写体照明と、ランプ発光による被写体確認とを各確実に行なうことができるランプの消灯・点灯制御回路を提供することができる。
【００１０】
請求項２記載の発明によれば、トリガー電極を有する放電ランプ及びランプを点灯駆動用の電力を供給する電源回路部と、放電ランプに対する発光開始信号及び放電ランプの発光時間を超える時間幅を持ったランプ消灯制御信号を出力するランプ制御信号出力部と、放電ランプに充電電圧を供給する主コンデンサと、発光開始信号を基にトリガー回路を介して放電ランプを発光させる発光制御部と、を具備する放電ランプ回路部と、ランプ消灯制御信号を基にその時間幅のみ前記ランプを消灯させるランプ消灯信号を出力するランプ消灯／点灯回路と、手動操作により前記ランプを点灯させるスイッチ信号を出力するランプ点灯スイッチと、ランプ消灯信号とスイッチ信号との論理和をとる論理和回路と、この論理和回路の出力信号に応じて前記ランプを消灯又は点灯させるランプ駆動回路と、を具備するランプ回路部とを有する構成で、放電ランプの発光時にはランプを消灯させ、放電ランプの発光時以外にはランプを自動点灯させることができ、放電ランプ発光による被写体照明と、ランプ発光による被写体確認とを各確実に行なうことができる簡略構成のランプの消灯・点灯制御回路を提供することができる。
【００１１】
請求項３記載の発明によれば、請求項２記載の発明と同様な構成で、かつ、ストロボユニットに組み込まれるとともにカメラ本体のシャッタ操作に連動するように構成して、カメラ本体を操作するカメラマンが被写体撮影時の前後においてランプからの光による被写体に対する撮影条件の設定・確認、撮影後の確認を確実に行なうことができ、また、カメラマンがランプの光による反射光等がカメラ本体に入射するという不都合がない良好な撮影環境の基で放電ランプの発光を伴った被写体の撮影を確実に行なうことが可能な簡略構成のランプの消灯・点灯制御回路を提供することができる。
【発明を実施するための最良の形態】
【００１２】
本発明は、被写体照明用の照明光を発光する放電ランプと、被写体確認用の光を発光するランプとを有し、放電ランプの発光時にはランプを消灯させ、放電ランプの発光時以外にはランプを自動点灯させる簡略構成のランプの消灯・点灯制御回路を提供するという目的を、被写体照明用の照明光を発光するトリガー電極を有する放電ランプと、被写体確認用の光を発光する発光ダイオードからなるランプとを個別に消灯又は点灯させるランプの消灯・点灯制御御回路であって、前記放電ランプ及びランプの点灯駆動用の電力を供給する電源回路部と、前記放電ランプに対する発光開始信号を出力するとともに前記放電ランプの発光時間を超える時間幅を持ったランプ消灯制御信号を出力するランプ制御信号出力部と、電源回路部により充電され前記放電ランプに充電電圧を供給する主コンデンサと、前記発光開始信号を基にトリガー回路を駆動し前記放電ランプのトリガー電極をトリガーさせ前記主コンデンサの充電電圧によって放電ランプを発光させる発光制御部と、を具備する放電ランプ回路部と、前記ランプ消灯制御信号を基にその時間幅のみ前記ランプを消灯させるランプ消灯信号を出力するランプ消灯／点灯回路と、手動操作により前記ランプを点灯させるスイッチ信号を出力するランプ点灯スイッチと、ランプ消灯信号とスイッチ信号との論理和をとる論理和回路と、この論理和回路の出力信号に応じて前記ランプを消灯又は点灯させるランプ駆動回路と、を具備し、前記時間幅のみ前記ランプを消灯させ、その時間幅以外は前記ランプを点灯させるとともに、前記スイッチ信号に応じて前記ランプを点灯させるランプ回路部と、を有する構成により実現した。
【実施例】
【００１３】
以下に、本発明の実施例に係るランプの消灯・点灯制御回路について図面を参照して詳細に説明する。
【００１４】
本実施例に係るランプの消灯・点灯制御回路１は、図１に示すように、例えば水中カメラ等のカメラ本体Ｃとともに用いられるストロボユニットに組み込まれるものであって、同図に示すように、電源回路部２、放電ランプ回路部３及びランプ回路部４を有している。
前記電源回路部２は、所定の直流電圧、例えば６Ｖ乃至９Ｖの直流電圧を供給する電池１１と、この電池１１からの直流電圧を所定の交流電圧（例えば３２０Ｖ）に昇圧する昇圧回路１２と、この昇圧回路１２からの交流電圧を整流して直流電圧とする整流回路１３と、図示しないが電源回路部２をオン状態とする電源スイッチと、を有している。
【００１５】
前記放電ランプ回路部３は、カメラ本体ＣのカメラＸ端子Ｃ１に接続され、カメラ本体Ｃのシャッタ操作に応じてキセノンランプ等からなる被写体を照明するための放電ランプ４０用の発光開始信号又は発光停止信号、及びランプ消灯制御信号であるカメラＸ端子信号を出力するランプ制御信号出力部として機能するカメラインターフェース１４と、前記放電ランプ４０の調光機能を備えるとともに、放電ランプ４０用の発光停止信号を出力する調光回路１５と、前記整流回路１３からの直流電圧により充電される主コンデンサ１６と、放電ランプ４０のトリガー電極に接続したトリガー回路１７と、前記カメラインターフェース１４からの前記放電ランプ４０用の発光開始信号又は発光停止信号、前記調光回路１５からの発光停止信号を入力して、前記発光開始信号に応じてトリガー回路１７を介して前記放電ランプ４０を点灯駆動するとともに、発光停止信号に応じてトリガー回路１７を介して前記放電ランプ４０を消灯駆動するＩＧＢＴ（絶縁ゲートバイポーラトランジスタ）を用いた発光制御部１８と、を有している。
【００１６】
すなわち、前記発光制御部１８は、前記発光開始信号が入力されたとき、トリガー回路１７を駆動し、このトリガー回路１７から前記放電ランプ４０のトリガー電極にトリガー信号を供給させて前記主コンデンサ１６の充電電圧により放電ランプ４０を瞬時（例えば１０／１０００秒等）発光させる制御を行なう。
【００１７】
前記発光開始信号は、カメラ本体Ｃに設けられているシャッタが操作されたときみ瞬時的に出力され、また、前記ランプ消灯制御信号であるカメラＸ端子信号は、放電ランプ４０の発光時間を超える時間幅を持った信号、すなわち、カメラ本体Ｃに設けられているシャッタが開いている間はローレベル、それ以外はハイレベルの信号となっている。
前記ランプ回路部４は、例えば赤色発光の発光ダイオードを用いた被写体確認用の光を発光するランプ３０を消灯又は点灯駆動するように構成している。前記ランプ３０は、ターゲットランプ又はフォーカスランプと称されるものである。
【００１８】
前記ランプ回路部４は、前記ストロボユニットに設けられ前記ランプ３０を手動操作にて点灯させるスイッチ信号を出力するランプ点灯スイッチ２１と、前記カメラインターフェース１４からのカメラＸ端子信号を入力して、このカメラＸ端子信号に対応するランプ消灯信号を出力するランプ消灯／点灯回路２２と、ランプ点灯スイッチ２１からのスイッチ信号と、前記ランプ消灯／点灯回路２２の出力信号との論理和をとり、ランプ駆動回路を駆動して前記ランプ３０を消灯又は点灯させる論理和回路（ＯＲ回路）２３と、を有している。
【００１９】
前記ランプ駆動回路は、エミッタを前記電池１１の陽極に接続したトランジスタＴＲと、このトランジスタＴＲのベースと前記論理和回路２３の出力端子との間に接続したベース抵抗Ｒ１と、トランジスタＴＲのコレクタとランプ３０のアノードとの間に接続したコレクタ抵抗Ｒ２とを具備し、前記論理和回路２３からの出力信号に応じたトランジスタＴＲのオフ、オン動作によって前記ランプ３０を消灯又は点灯させるようになっている。
【００２０】
次に、本実施例に係るランプの消灯・点灯制御回路１の動作について図２をも参照して説明する。
【００２１】
このランプ３０の消灯・点灯制御回路１を含むストロボユニットをカメラインターフェース１４を介してカメラ本体Ｃに接続した状態において、図示しない電源スイッチにより電源回路部２をオン状態とする。これにより、電池１１からの直流電圧が昇圧回路１２に供給され昇圧された後整流回路１３により直流電圧に変換され、この直流電圧により主コンデンサ１６が充電される。
【００２２】
また、前記放電ランプ回路部３のカメラインターフェース１４は、ランプ消灯制御信号であるハイレベルのカメラＸ端子信号を前記ランプ回路部４のランプ消灯／点灯回路２２に出力する。これにより、ランプ消灯／点灯回路２２から前記カメラＸ端子信号に対応するハイレベルのランプ消灯信号が論理和回路２３に出力され、論理和回路２３はハイレベルの出力信号を出力しランプ駆動回路のトランジスタＴＲをオンにして前記ランプ３０を自動点灯させる。
【００２３】
この結果、カメラ本体Ｃを操作するカメラマンは、前記ランプ３０からの光による被写体に対する撮影条件の設定・確認を行なうことができる。
【００２４】
尚、前記ランプ点灯スイッチ２１を操作したときも、スイッチ信号によって論理和回路２３はハイレベルの出力信号を出力し、ランプ駆動回路を駆動して前記ランプ３０を点灯させる。
【００２５】
次に、カメラ本体Ｃを操作するカメラマンが、被写体に対する撮影条件の設定・確認を行なった後、シャッタを操作すると、カメラ本体Ｃからシャッタ操作に応じてカメラインターフェース１４から発光開始信号が前記発光制御部１８に送られるとともに、ランプ消灯制御信号であるローレベルのカメラＸ端子信号を前記ランプ回路部４のランプ消灯／点灯回路２２に出力する。
【００２６】
これにより、ランプ消灯／点灯回路２２から前記カメラＸ端子信号に対応するローレベルのランプ消灯信号が論理和回路２３に出力され、論理和回路２３はローレベルの出力信号を出力しランプ駆動回路のトランジスタＴＲをオフにして前記ランプ３０を自動消灯させる。このランプ３０の自動消灯時間は、放電ランプ４０の発光時間を超える時間、すなわち、よりも長い時間である。
【００２７】
同時に、前記発光制御部１８は、発光開始信号が入力されたとき、トリガー回路１７を駆動し、このトリガー回路１７から前記放電ランプ４０のトリガー電極にトリガー信号を供給させて前記主コンデンサ１６の充電電圧により放電ランプ４０を瞬時（例えば１０／１０００秒等）発光させる。
【００２８】
これにより、カメラ本体Ｃを操作するカメラマンは、放電ランプ４０の発光を伴った被写体の撮影を行なうことができ、かつ、カメラ本体Ｃに設けられているシャッタが開いている時間の間は前記ランプ３０が消灯しているので、ランプ３０の光による反射光等がカメラ本体Ｃに入射することは皆無となって良好な撮影を実行できる。
【００２９】
次に、カメラ本体Ｃのシャッタが閉じ、カメラインターフェース１４からのカメラＸ端子信号は、再びハイレベルに転じ、これにより、ランプ消灯／点灯回路２２から前記カメラＸ端子信号に対応するハイレベルのランプ消灯信号が再び論理和回路２３に出力され、論理和回路２３はハイレベルの出力信号を出力しランプ駆動回路のトランジスタＴＲをオンにして前記ランプ３０を自動的に再点灯させる。
【００３０】
本実施例に係るランプの消灯・点灯制御回路１によれば、簡略な回路構成で放電ランプ４０の発光時にはランプ３０を消灯させ、放電ランプ４０の発光時以外にはランプ３０を自動点灯させることができ、これにより、カメラ本体Ｃを操作するカメラマンは、被写体撮影時の前後において前記ランプ３０からの光による被写体に対する撮影条件の設定・確認、撮影後の確認を確実に行なうことができる。
【００３１】
また、カメラマンはランプ３０の光による反射光等がカメラ本体Ｃに入射するという不都合がない良好な撮影環境の基で放電ランプ４０の発光を伴った被写体の撮影を確実に行なうことができる。
【産業上の利用可能性】
【００３２】
本発明のランプの消灯・点灯制御回路は、上述したような水中カメラとともに用いるストロボユニットに適用する場合の他、屋外又は屋内で撮影を行なうカメラとともに用いるストロボユニットにも広範に適用できる。また、カメラの種類もスチールカメラ、ディジタルカメラ、ディジタルビデオカメラ等、特に限定されるものではなく、これら各種のカメラとともに用いるストロボユニット、さらには、カメラ自体に組み込まれたストロボに関しても広範に適用できる。
【図面の簡単な説明】
【００３３】
【図１】本発明の実施例に係るランプの消灯・点灯制御回路の構成を示すブロック図である。
【図２】本発明の実施例に係るランプの消灯・点灯制御回路における各部の信号パターン及び放電ランプ、ランプの点灯、消灯パターンを示す波形図である。
【符号の説明】
【００３４】
１    ランプの消灯・点灯制御回路
２    電源回路部
３    放電ランプ回路部
４    ランプ回路部
１１    電池
１２    昇圧回路
１３    整流回路
１４    カメラインターフェース
１５    調光回路
１６    主コンデンサ
１７    トリガー回路
１８    発光制御部
２１    ランプ点灯スイッチ
２２    ランプ消灯／点灯回路
２３    論理和回路
３０    ランプ
４０    放電ランプ
Ｃ    カメラ本体
Ｃ１    カメラＸ端子
Ｒ１    ベース抵抗
Ｒ２    コレクタ抵抗
ＴＲ    トランジスタ
【図１】
2008203335.tif 000003
【図２】
2008203335.tif 000004